(57)【特許請求の範囲】
【請求項１】
ディスプレイと、
無線通信モジュールと、
前記ディスプレイの属性を示す情報を含む前記ディスプレイ固有の第１の識別情報を基に、前記第１の識別情報とは異なり、かつ、互いに異なる複数の第２の識別情報を生成し、前記第１の識別情報を要求する前記無線通信モジュールを介して無線接続される２以上の外部デバイスそれぞれに対して、前記複数の第２の識別情報の中の異なる第２の識別情報を供給する識別情報供給制御手段と、
前記識別情報供給制御手段により供給された第２の識別情報に基づいて前記２以上の外部デバイスにより生成されて前記２以上の外部デバイスから転送される映像信号を前記ディスプレイに表示する表示制御手段と、
を具備する電子機器。
【請求項２】
前記識別情報供給制御手段は、前記第１の識別情報に含まれる前記ディスプレイの属性を示す情報に変更を加えて、前記複数の第２の識別情報に含める請求項１に記載の電子機器。
【請求項３】
前記識別情報供給制御手段は、前記無線通信モジュールと前記２以上の外部デバイスそれぞれとの間の無線接続状況に応じて、前記ディスプレイの属性を示す情報に変更を加える請求項２に記載の電子機器。
【請求項４】
前記ディスプレイの属性を示す情報は、前記ディスプレイの解像度を含む請求項３に記載の電子機器。
【請求項５】
前記ディスプレイの属性を示す情報は、前記ディスプレイのリフレッシュレートを含む請求項３に記載の電子機器。
【請求項６】
前記ディスプレイの属性を示す情報は、前記ディスプレイの表示可能色数を含む請求項３に記載の電子機器。
【請求項７】
音声処理手段を具備し、
前記第１の識別情報は、前記音声処理手段が処理可能な音声信号のビットレートを含む請求項３に記載の電子機器。
【請求項８】
音声処理手段を具備し、
前記第１の識別情報は、前記音声処理手段が処理可能な音声信号のチャンネル数を含む請求項３に記載の電子機器。
【請求項９】
前記識別情報供給制御手段は、前記第１の識別情報に含まれる前記ディスプレイに一意に割り当てられるシリアル番号の一部を前記複数の第２の識別情報毎に異なる値に変更する請求項１に記載の電子機器。
【請求項１０】
前記表示制御手段は、前記２以上の外部デバイスから転送される映像信号を前記ディスプレイに並べて表示する第１の表示モードと、前記２以上の外部デバイスから転送される映像信号を排他選択的に前記ディスプレイに表示する第２の表示モードとを有する請求項１に記載の電子機器。
【請求項１１】
前記無線通信モジュールを介して無線接続される前記２以上の外部デバイスの数を所定数以内に制限する無線接続制御手段を具備する請求項１に記載の電子機器。
【請求項１２】
ディスプレイと、無線通信モジュールとを具備する電子機器の制御方法であって、
前記ディスプレイの属性を示す情報を含む前記ディスプレイ固有の第１の識別情報を基に、前記第１の識別情報とは異なり、かつ、互いに異なる複数の第２の識別情報を生成し、
前記第１の識別情報を要求する前記無線通信モジュールを介して無線接続される２以上の外部デバイスそれぞれに対して、前記複数の第２の識別情報の中の異なる第２の識別情報を供給し、
前記供給した第２の識別情報に基づいて前記２以上の外部デバイスにより生成されて前記２以上の外部デバイスから転送される映像信号を前記ディスプレイに表示する、
制御方法。
【請求項１３】
ディスプレイと、無線通信モジュールとを具備するコンピュータを、
前記ディスプレイの属性を示す情報を含む前記ディスプレイ固有の第１の識別情報を基に、前記第１の識別情報とは異なり、かつ、互いに異なる複数の第２の識別情報を生成し、前記第１の識別情報を要求する前記無線通信モジュールを介して無線接続される２以上の外部デバイスそれぞれに対して、前記複数の第２の識別情報の中の異なる第２の識別情報を供給する識別情報供給制御手段、
前記識別情報供給制御手段により供給された第２の識別情報に基づいて前記２以上の外部デバイスにより生成されて前記２以上の外部デバイスから転送される映像信号を前記ディスプレイに表示する表示制御手段、
として機能させるためのプログラム。
【発明の詳細な説明】
【技術分野】
【０００１】
本発明の実施形態は、例えばワイヤレスディスプレイ等に好適な制御技術に関する。
【背景技術】
【０００２】
近年、無線通信機能を備えた電子機器が広く普及している。例えば、無線通信機能を備えたディスプレイ装置（ワイヤレスディスプレイ）と、無線通信機能を備えたタブレット端末とを有するユーザは、Ｗｅｂサイト等からタブレット端末に取り込んだ動画をディスプレイ装置の大画面で観賞すること等を手軽に行うことができる。
【先行技術文献】
【特許文献】
【０００３】
【特許文献１】特開２００２−３２３８８４号公報
【発明の概要】
【発明が解決しようとする課題】
【０００４】
例えばディスプレイ装置をパーソナルコンピュータ（ＰＣ）に接続すると、ＰＣは、ＥＤＩＤと称される情報をディスプレイ装置から取得する。ＥＤＩＤには、例えば解像度やリフレッシュレート（周波数）等のディスプレイ装置の属性を示す情報のほか、ディスプレイ装置に一意に割り当てられる（製造者ＩＤや型式ＩＤを含んでなる）シリアル番号などが記述されている。ＰＣは、このＥＤＩＤに基づき、接続されたディスプレイ装置に適した映像信号を生成する。つまり、このＥＤＩＤによって、ＰＣは、種々のディスプレイ装置をモニタとして利用することができる。換言すれば、このＥＤＩＤによって、ディスプレイ装置は、種々の電子機器のモニタとして適用することができる。
【０００５】
従来のＥＤＩＤを使った接続手段では、ＥＤＩＤは画面の同時出力を考慮した設定値を持たないため、複数の入力を１つのディスプレイに同時に表示する場合、ディスプレイに内蔵される縮小機能（スケーリング機能）によってＥＤＩＤの設定値を考慮しないで縮小するのが一般的である。従って、入力ディスプレイの解像度と表示解像度は一致せず、最適(ドットバイドット)な画面表示は出来ない。縮小された画面に最適化された出力を入力から自動で行うことはできなかった。
【０００６】
本発明は、２以上の外部デバイスから転送される映像信号をディスプレイに表示することを可能とした電子機器、制御方法およびプログラムを提供することを目的とする。
【課題を解決するための手段】
【０００７】
実施形態によれば、電子機器は、ディスプレイと、無線通信モジュールと、識別情報供給制御手段と、表示制御手段と、を具備する。識別情報供給制御手段は、前記ディスプレイの属性を示す情報を含む前記ディスプレイ固有の第１の識別情報を基に、前記第１の識別情報とは異なり、かつ、互いに異なる複数の第２の識別情報を生成し、前記第１の識別情報を要求する前記無線通信モジュールを介して無線接続される２以上の外部デバイスそれぞれに対して、前記複数の第２の識別情報の中の異なる第２の識別情報を供給する。表示制御手段は、前記識別情報供給制御手段により供給された第２の識別情報に基づいて前記２以上の外部デバイスにより生成されて前記２以上の外部デバイスから転送される映像信号を前記ディスプレイに表示する。
【図面の簡単な説明】
【０００８】
【図１】実施形態の電子機器（ワイヤレスディスプレイ）の一利用態様を示す図。
【図２】実施形態の電子機器のハードウェア構成を示す図。
【図３】実施形態の電子機器のソフトウェア構成を示す図。
【図４】実施形態の電子機器の動作手順を示すタイミングチャート。
【発明を実施するための形態】
【０００９】
以下、実施の形態について図面を参照して説明する。
【００１０】
図１は、本実施形態の電子機器（ワイヤレスディスプレイ）１の一利用態様を示す図である。ワイヤレスディスプレイ１は、例えば無線通信機能を有するテレビジョン受像機であっても良い。
【００１１】
図１に示すように、ワイヤレスディスプレイ１は、複数の外部デバイス（タブレット）２と無線接続することができ、かつ、複数のタブレット２から転送される映像信号を表示することができる。例えば、各ユーザが自身のタブレット２で再生した画像をワイヤレスディスプレイ１によって全員で一斉に観賞したり、各ユーザが自身のタブレット２内に保有している資料をワイヤレスディスプレイ１に表示して全員で比較・検討したり、といったことが可能である。以下、複数のタブレット２から転送される映像信号を表示することを可能とする本ワイヤレスディスプレイ１の仕組みについて詳述する。
【００１２】
なお、ワイヤレスディスプレイ１は、赤外線受光機能を有しており、リモートコントローラ１Ａから操作信号を受信することができる。ユーザは、リモートコントローラ１Ａを使って、例えば、図１に示すように、複数のタブレット２から転送される映像信号を並べて表示させることもできるし、その中から１つを選択して表示させることもできる。つまり、ワイヤレスディスプレイ１は、複数のタブレット２から転送される映像信号を並べて表示する第１の表示モードと、複数のタブレット２から転送される映像信号を排他選択的に表示する第２の表示モードとを有している。図１には、ワイヤレスディスプレイ１が第１の表示モードで映像信号の表示を行っている状態が示されている。
【００１３】
ここでは、複数のタブレット２から転送される映像信号を表示することを可能とする仕組みをワイヤレスディスプレイ１が搭載する例を説明するが、この仕組みは、タッチパネルディスプレイを備える（ディスプレイ装置でもある）タブレット２に搭載することも可能である
図２は、ワイヤレスディスプレイ１のハードウェア構成を示す図である。
【００１４】
図２に示すように、ワイヤレスディスプレイ１は、ＳｏＣ（System on chip）１１、メインメモリ１２、フラッシュメモリ１３、ＬＣＤ１４、スピーカ１５、無線ＬＡＮモジュール１６、赤外線受光部１７、ＡＣアダプタ１８等を有している。
【００１５】
ＳｏＣ１１は、ワイヤレスディスプレイ１の主要機能が集積された１チップマイクロコンピュータであり、Ｓｏｃ１１に接続される種々のデバイスを駆動制御する各種コントローラが構成されている。Ｓｏｃ１１は、２つのコア１１１を有し、また、Audioコントローラ１１２およびVideoコントローラ１１３のペアが３セット構成されている。
【００１６】
各コア１１１は、ワイヤレスディスプレイ１の動作を制御するプロセッサであり、２つのコア１１１が協働して、フラッシュメモリ１３に格納された各種プログラムをメインメモリ１２にロードして実行する。
【００１７】
各Audioコントローラ１１２は、タブレット２から無線ＬＡＮモジュール１６を介して受信した音声信号をスピーカ１５に出力する。また、各Videoコントローラ１１３は、タブレット２から無線ＬＡＮモジュール１６を介して受信した映像信号をＬＣＤ１４に表示する。Audioコントローラ１１２およびVideoコントローラ１１３のペアを３セット有する本ワイヤレスディスプレイ１は、３つの音声信号および映像信号を並行して処理することができる。Audioコントローラ１１２およびVideoコントローラ１１３を時分割で利用することにより、本ワイヤレスディスプレイ１は、４以上の音声信号および映像信号を並行して処理することも可能である。
【００１８】
また、赤外線受光部１７は、リモートコントローラ１Ａから操作信号として送出される赤外線を受信する。ＡＣアダプタ１８は、ワイヤレスディスプレイ１の動作用の電力を外部商用電源から入力する。
【００１９】
図３は、ワイヤレスディスプレイ１のソフトウェア構成を示す図である。
【００２０】
図３に示すように、フラッシュメモリ１３からメインメモリ１２にロードされてコア１１１群によって実行される各種プログラムの中には、ワイヤレスディスプレイ１のリソース管理を司るオペレーティングシステム（ＯＳ）２０１と、このＯＳ２０１の制御下で動作するワイヤレスディスプレイ制御モジュール２０２および各種アプリケーションモジュール２０３とが存在する。
【００２１】
ワイヤレスディスプレイ制御モジュール２０２は、本ワイヤレスディスプレイ１を複数のタブレット２から利用可能とするためにワイヤレスディスプレイ１を仮想化するモジュールである。より具体的には、物理的に１台である本ワイヤレスディスプレイ１を仮想化によって論理的に複数台に拡張するモジュールである。
【００２２】
ＯＳ２０１は、本ワイヤレスディスプレイ１のＥＤＩＤを保有している（ディスプレイハードウェア情報３０１）。ワイヤレスディスプレイ制御モジュール２０２は、このＥＤＩＤをＯＳ２０１から取得し、取得したＥＤＩＤを基に、複数の仮想ＥＤＩＤを生成する（仮想ディスプレイ情報３０２）。ＥＤＩＤには、ディスプレイ装置に一意に割り当てられるシリアル番号が記述されているので、ワイヤレスディスプレイ制御モジュール２０２は、例えばこのシリアル番号の下数桁を互いに異なる値に変更することによって、複数の仮想ＥＤＩＤを生成する。ワイヤレスディスプレイ制御モジュール２０２は、本ワイヤレスディスプレイ１が複数のタブレット２と無線接続された場合に、複数のタブレット２間で異なる値の仮想ＥＤＩＤが割り当てられるように、ＥＤＩＤを要求するタブレット２に対する仮想ＥＤＩＤの供給制御を実行する。
【００２３】
また、ワイヤレスディスプレイ制御モジュール２０２は、例えばタブレット２との無線接続状況を示す情報を（ＯＳ２０１経由で）無線ＬＡＮモジュール１６から取得し、この情報に基づき、このタブレット向けに生成する仮想ＥＤＩＤの値に変更を加える。無線接続状況とは、例えば電波強度や通信速度である。
【００２４】
ＥＤＩＤには、ＬＣＤ１４およびVideoコントローラ１１３が対応可能な解像度、リフレッシュレート（周波数）、表示色数などの属性情報が含まれている。また、ＥＤＩＤには、スピーカ１５およびAudioコントローラ１１２が対応可能な音声信号のビットレートやチャンネル数などの属性情報も含まれている。そこで、ワイヤレスディスプレイ制御モジュール２０２は、電波状況が悪い場合や、通信速度が遅い場合、ＥＤＩＤを基に仮想ＥＤＩＤを生成する際、例えば解像度を低くする等の変更を加える。
【００２５】
ＥＤＩＤに変更を加える例としては、
（１）解像度を低くする（例えば1280×1024ドット→800×600ドット）。
【００２６】
（２）リフレッシュレートを下げる（例えば120Ｈｚ→60Ｈｚ）。
【００２７】
（３）表示色数を減らす（例えば32bit→２４bit）
（４）音声のビットレートを下げる（例えば128bps→64bps）
（５）音声のチャンネルを減らす（例えば5.1ch→ステレオ、ステレオ→モノラル）
などが挙げられる。
【００２８】
なお、電波状況が悪い場合や通信速度が遅い場合に限らず、仕様として、ＥＤＩＤを基に仮想ＥＤＩＤを生成する際、一律に、解像度を低くする等の変更を加えるようにしても良い。また、無線接続されるタブレット２の数に応じて、解像度を低くする等の変更を加えるようにしても良い。例えば２台のタブレット２が無線接続された状態で、３台目のタブレット２と無線接続することとなった場合、ワイヤレスディスプレイ制御モジュール２０２は、既存の２台のタブレット２との無線接続を一旦切断するように無線ＬＡＮモジュール１６を制御する。無線接続が切断されたタブレット２は、無線接続を復旧する際、ＥＤＩＤの取得を再実行するので、ワイヤレスディスプレイ制御モジュール２０２は、３台目のタブレット２が加わったことを考慮して仮想ＥＤＩＤを再生成し、タブレット２に返送する。
【００２９】
また、ワイヤレスディスプレイ制御モジュール２０２は、無線接続された（映像信号および音声信号を転送してくる）タブレット２の数がＳｏＣ１１に構成されている３セットのAudioコントローラ１１２およびVideoコントローラ１１３のペアで対応し得る数に達した場合、それ以降、ＥＤＩＤを要求してきたタブレット２に対して、本ワイヤレスディスプレイ１は使用中である旨のステータスを返却する。
【００３０】
ワイヤレスディスプレイ制御モジュール２０２は、複数のタブレット２から転送される映像信号をＬＣＤ１４に並べて表示する第１の表示モードと、複数のタブレット２から転送される映像信号を排他選択的に表示する第２の表示モードとの２つのモードで表示制御を実行可能である。前述したように、本ワイヤレスディスプレイ１は、リモートコントローラ１Ａから操作信号を受信することができる。ワイヤレスディスプレイ制御モジュール２０２は、リモートコントローラ１Ａから操作信号に基づき、第１の表示モードおよび第２の表示モード間の切替えを実行する。
【００３１】
図４は、ワイヤレスディスプレイ１の動作手順を示すタイミングチャートである。
【００３２】
タブレット２から接続要求を受信した際（ステップＳ１）、ワイヤレスディスプレイ１は、電波状況および速度を取得する（ステップＳ２）。ワイヤレスディスプレイ１は、ワイヤレスディスプレイ１が使用可能な状態か否かを判定し（ステップＳ３）、その判定結果を接続要求レスポンスとしてタブレット２に返送する（ステップＳ４）。
【００３３】
タブレット２は、ワイヤレスディスプレイ１から返送された接続要求レスポンスを調べ（ステップＳ５）、使用可能であれば、ワイヤレスディスプレイ１に対して認証を要求する（ステップＳ６）。ワイヤレスディスプレイ１は、タブレット２から認証要求を受信した際にも、電波状況および速度を取得する（ステップＳ７）。ワイヤレスディスプレイ１は、タブレット２の認証可否を判定し（ステップＳ８）、その判定結果を認証レスポンスとしてタブレット２に返送する（ステップＳ９）。
【００３４】
タブレット２は、ワイヤレスディスプレイ１から返送された認証レスポンスを調べ（ステップＳ１０）、認証成立であれば、ワイヤレスディスプレイ１に対して画面状態（ＥＤＩＤ）を要求する（ステップＳ１１）。ワイヤレスディスプレイ１は、接続要求の受信時または認証要求の受信時に取得した電波状況および速度に基づき、（本物の）ＥＤＩＤから仮想ＥＤＩＤを生成する（ステップＳ１２）。ワイヤレスディスプレイ１は、この生成した仮想ＥＤＩＤを画面状態（ＥＤＩＤ）レスポンスとしてタブレット２に返送する（ステップＳ１３）。
【００３５】
タブレット２は、ワイヤレスディスプレイ１から返送された画面状態（ＥＤＩＤ）レスポンスを調べ、（仮想ＥＤＩＤで示される属性の）ワイヤレスディスプレイ１と接続可能か否かを判定する（ステップＳ１４）。また、タブレット２は、ワイヤレスディスプレイ１から接続要求レスポンスとして使用不可が返送された場合または認証レスポンスとして認証不成立が返送された場合、適宜に、ワイヤレスディスプレイ１に対する接続要求を再試行する。
【００３６】
以上のように、本ワイヤレスディスプレイ１は、ワイヤレスディスプレイ１固有のＥＤＩＤを仮想化によって複数に拡張することで、２以上の外部デバイスから転送される映像信号をディスプレイに表示することを可能とする。
【００３７】
なお、各実施形態の動作制御処理は、ソフトウェア（プログラム）によって実現することができるので、このソフトウェアを格納したコンピュータ読み取り可能な記憶媒体を通じてこのソフトウェアを通常のコンピュータにインストールして実行することにより、各実施形態と同様の効果を容易に実現することができる。
【００３８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００３９】
１…電子機器（ワイヤレスディスプレイ）、２…外部デバイス（タブレット）、１１…ＳｏＣ、１２…メインメモリ、１３…フラッシュメモリ、１４…ＬＣＤ、１５…スピーカ、１６…無線ＬＡＮモジュール、１７…赤外線受光部、１８…ＡＣアダプタ、１１１…コア、１１２…Audioコントローラ、１１３…Videoコントローラ、２０１…オペレーティングシステム、２０２…ワイヤレスディスプレイ制御モジュール、２０３…各種アプリケーションモジュール、３０１…ディスプレイハードウェア情報（ＥＤＩＤ）、３０２…仮想ディスプレイ情報（仮想ＥＤＩＤ）。
【図１】
0006009824.tif 000002
【図２】
0006009824.tif 000003
【図３】
0006009824.tif 000004
【図４】
0006009824.tif 000005